(57)【要約】【課題】良好な品位を保って拡大表示を行う。【解決手段】制御部４０は、映像信号供給部２４のオンスクリーン表示信号生成部２４１と合成部２４２を制御して、表示部２５の画面上に、拡大表示する領域を示すカーソル表示を行う。制御部４０は、ユーザインタフェース部４１からの操作信号ＰＳに基づき、拡大領域を設定したとき、この領域内に表示される文字や図形についてコードの判別を行う。また、拡大領域のサイズと拡大表示の画面サイズに応じて表示サイズの設定を行う。オンスクリーン表示信号生成部２４１は、判別されたコードに対応しており、設定された表示サイズに拡大されているフォントデータの選択あるいは生成を行い、拡大されているフォントデータに基づいてオンスクリーン信号Ｄosを生成する。この生成された信号Ｄosに基づいて映像信号ＲＶを合成部２４２で生成して表示部２５に供給する。【選択図】        図１
2007312237.tif 000002
【特許請求の範囲】
【請求項１】
映像表示を行う表示部と、
前記表示部に映像信号を供給する映像信号供給部と、
ユーザ操作に応じた操作信号を生成するユーザインタフェース部と、
前記映像信号供給部の動作を制御する制御部を有し、
前記制御部は、前記操作信号に基づいて、前記表示部に表示されている映像に対して拡大表示する拡大領域の設定を行い、前記拡大領域を設定したときは、該拡大領域に含まれる文字や図形についてコードの判別を行い、該判別されたコードに対応しており表示サイズが拡大されているフォントデータに基づき映像信号を前記映像信号供給部で生成して前記表示部に供給させる
ことを特徴とする映像表示装置。
【請求項２】
前記映像信号供給部に表示サイズの異なるフォントデータをコード毎に予め用意しておき、前記判別されたコードに対応するフォントデータから表示サイズの拡大されているフォントデータを選択して用いる
ことを特徴とする請求項１記載の映像表示装置。
【請求項３】
前記映像信号供給部にフォントデータを生成するデータ生成情報をコード毎に予め用意しておき、前記判別されたコードに対応するデータ生成情報を用いて、前記表示サイズの拡大されているフォントデータを生成する
ことを特徴とする請求項１記載の映像表示装置。
【請求項４】
前記制御部は、前記拡大領域のサイズと拡大表示の画面サイズに応じて前記フォントデータの表示サイズの設定を行い、該設定された表示サイズのフォントデータに基づき映像信号を生成させる
ことを特徴とする請求項１記載の映像表示装置。
【請求項５】
前記制御部は、前記拡大領域を示すカーソル表示が重畳された映像の映像信号を、前記映像信号供給部から前記表示部に供給させるものとして、前記操作信号に基づいて前記カーソル表示を移動させる
ことを特徴とする請求項１記載の映像表示装置。
【請求項６】
表示されている映像に対して拡大表示する拡大領域を操作信号に基づいて設定する拡大領域設定ステップと、
前記拡大領域に含まれる文字や図形についてコードの判別を行うコード判別ステップと、
前記判別されたコードに対応しており表示サイズの拡大されているフォントデータに基づき映像信号を生成する映像信号生成ステップとを有する
ことを特徴とする映像表示制御方法。
【発明の詳細な説明】
【技術分野】
【０００１】
この発明は映像表示装置および映像表示制御方法に関する。詳しくは、表示されている映像に対して拡大表示する拡大領域を設定したとき、拡大領域に含まれる文字や図形についてコードの判別を行い、判別されたコードに対応しており、表示サイズの拡大されているフォントデータに基づき映像信号を生成することで、良好な品位を保って拡大表示を行えるようにするものである。
【背景技術】
【０００２】
テレビジョン装置等の映像表示装置では、１つの画面上に複数の画面表示を行うことができるようになされている。例えば特許文献１のテレビ受信機では、表示画面の一部に子画面を表示し、この子画面以外の領域を親画面として、子画面と親画面のそれぞれに独立した画像を表示するとき、使用者によって指定された領域の画像を子画面の画像として切り出しを行い、この切り出した画像を子画面として表示することで、子画面に表示された情報が細かいため認識できなくなってしまう等の不具合を改善することが行われている。
【０００３】
【特許文献１】特開平９−１６３２６０号公報
【発明の開示】
【発明が解決しようとする課題】
【０００４】
ところで、１つの画面上に複数の画面表示を行うことができる映像表示装置では、スケーリング機能が設けられており、１つの画面を縮小して子画面として表示できるようになされている。また、映像を拡大して表示することも可能とされている。このようなスケーリング機能では、画素の間引きや補間等を行うことで縮小や拡大が行われている。ここで、例えば表示されている文字が小さく判別が容易でない場合、表示されている文字の解像度は低いことから、画素補間によって画素数を増やすことで表示を拡大しても、表示された文字は、ぼけ等を生じた品位の劣る表示となり、文字の判別等を容易に行うことができないおそれがある。
【０００５】
そこで、この発明では、良好な品位を保って拡大表示を行うことができる映像表示装置と映像表示制御方法を提供するものである。
【課題を解決するための手段】
【０００６】
この発明の概念は、映像表示を行う表示部と、表示部に映像信号を供給する映像信号供給部と、ユーザ操作に応じた操作信号を生成するユーザインタフェース部と、映像信号供給部の動作を制御する制御部を有し、制御部は、操作信号に基づいて、表示部に表示されている映像に対して拡大表示する拡大領域の設定を行い、拡大領域を設定したときは、拡大領域に含まれる文字や図形についてコードの判別を行い、判別されたコードに対応しており表示サイズが拡大されているフォントデータに基づき映像信号を映像信号供給部で生成して表示部に供給させる映像表示装置にある。
【０００７】
また、表示されている映像に対して拡大表示する拡大領域を操作信号に基づいて設定する拡大領域設定ステップと、拡大領域に含まれる文字や図形についてコードの判別を行うコード判別ステップと、判別されたコードに対応しており表示サイズの拡大されているフォントデータに基づき映像信号を生成する映像信号生成ステップとを有する映像表示制御方法にある。
【０００８】
この発明では、拡大表示を行う場合  拡大領域を示すカーソル表示が行われて、このカーソル表示をユーザ操作に応じた所望の位置に移動して、拡大領域の設定が行われる。拡大領域が設定されると、拡大領域内に表示される文字や図形についてコードの判別が行われる。また、拡大領域のサイズと拡大表示の画面サイズに応じて表示サイズの設定を行い、判別されたコードに対応しており、設定された表示サイズに拡大されているフォントデータの選択あるいは生成を行い、拡大されているフォントデータに基づき映像信号が生成されて、この生成された映像信号に基づいて拡大表示が行われる。
【発明の効果】
【０００９】
この発明によれば、表示されている映像に対して拡大表示する拡大領域を操作信号に基づき設定して、この拡大領域に含まれる文字や図形についてコードの判別を行い、判別されたコードに対応しており、表示サイズが拡大されているフォントデータに基づき映像信号が生成される。このため、良好な品位を保って文字や図形の拡大表示を容易に行うことができる。
【発明を実施するための最良の形態】
【００１０】
以下、図を参照しながら、この発明の実施の一形態について説明する。図１は、映像表示装置例えばテレビジョン装置の構成を示している。
【００１１】
アンテナ１１で放送波を受信して得られた受信信号ＳRFは、映像表示装置２０のチューナ部２１に供給される。チューナ部２１は、後述する制御部４０からの選局制御信号に基づき、受信信号ＳRFから所望の放送コンテンツの周波数を選局する。また、チューナ部２１は、選局を行って得た信号に対して復調処理や誤り訂正処理等を行い、トランスポートストリームＴＳを生成してデマルチプレクサ２２に供給する。
【００１２】
デマルチプレクサ２２は、トランスポートストリームＴＳを解析して、番組を視聴するために必要となる情報を分離する。例えば、デマルチプレクサ２２は、トランスポートストリームＴＳに含まれる番組特定情報（ＰＳＩ：Program Specific Information）のプログラムマップテーブル（ＰＭＴ：Program Map Table）に基づいて、現在受信中の番組を構成する映像、音声、テレテキスト情報やデータ放送の情報等の信号を分離する。さらに、デマルチプレクサ２２は、分離した映像信号ＤＣvをビデオデコーダ２３に供給する。また、デマルチプレクサ２２は、分離した音声信号ＤＣaをオーディオデコーダ２６に供給する。さらに、デマルチプレクサ２２は、分離したテレテキスト情報等のデータ信号ＤＣdを、後述する制御部４０に供給する。
【００１３】
ビデオデコーダ２３は、符号化されている映像信号ＤＣvの復号処理を行い、得られた映像信号ＤＶを映像信号供給部２４の合成部２４２に供給する。
【００１４】
映像信号供給部２４のオンスクリーン表示信号生成部２４１は、制御部４０から供給されたオンスクリーン制御信号ＤＳに基づき、オンスクリーン表示信号Ｄosを生成して合成部２４２に供給する。
【００１５】
合成部２４２は、映像信号ＤＶに基づく映像とオンスクリーン表示信号Ｄosに基づく映像の合成処理を行い、合成処理後の映像信号ＲＶを表示部２５に供給する。表示部２５は、映像信号供給部２４から供給された映像信号ＲＶに基づいて映像表示を行う。
【００１６】
オーディオデコーダ２６は、符号化されている音声信号ＤＣaの復号処理を行い、得られた音声信号ＤＡを音声出力処理部２７に供給する。音声出力処理部２７は、オーディオデコーダ２６から供給された音声信号ＤＡをアナログの音声信号に変換したのち、所望の信号レベルに増幅して音声出力信号ＳＡoutとしてスピーカ２８に供給する。スピーカ２８は、音声出力処理部２７から供給された音声出力信号ＳＡoutに基づいて音声出力を行う。
【００１７】
通信インタフェース部３０は、公衆通信網やネットワーク等を介して、外部のサーバ等と通信を行うためのものである。この通信インタフェース部３０を介して、例えば視聴履歴情報が、放送事業者側や限定受信の管理・運営を行う事業者側に送信される。また、映像表示装置２０で用いられるソフトウェアのダウンロード等も行われる。さらに、公衆通信網やネットワーク等を介して番組や番組に関する情報（電子番組表示等）の配信が行われるときは、番組や番組に関する情報のダウンロード等も行われる。
【００１８】
制御部４０には、ユーザ操作に応じた操作信号ＰＳを生成するユーザインタフェース部４１が接続されている。ユーザインタフェース部４１は、リモートコントロール装置５０から送信された信号を受信するリモートコントロール信号受信部や操作キーで構成されている。ユーザインタフェース部４１やリモートコントロール装置５０には、操作キーとして、動作モード切り替えやチャネル切り替えおよび音量調整や表示する情報等の設定を行うための種々の操作キーが設けられており、キー操作に応じた操作信号ＰＳを生成して制御部４０に供給する。
【００１９】
図２は、リモートコントロール装置５０の外観を例示したものである。リモートコントロール装置５０には、操作キーとして種々の機能等が割り当てられたボタンが設けられている。例えば電源のオン／オフを行うための機能が割り当てられた電源ボタン５１１、チャネルが割り当てられた数字ボタン群５１２、入力切替ボタン５１３、チャネルアップ／ダウン機能が割り当てられたチャネルボタン５１４、音量のアップ／ダウン機能が割り当てられた音量ボタン５１５が設けられている。また、メニュー表示を行わせるためのＭＥＮＵボタン５１６、メニュー表示がなされたとき項目の選択や切り替え等を行うために用いる上下左右ボタン５１７とＯＫボタン５１８が設けられている。
【００２０】
制御部４０は、マイクロコンピュータやメモリ等を用いて構成されており、操作信号ＰＳに基づいた制御信号（図示せず）を生成して、例えばバス４５を介して各部に供給することで、映像表示装置２０がユーザ操作に応じた動作となるように制御する。また、制御部４０は、ユーザによって設定された種々の設定情報やデマルチプレクサ２２から供給されたデータ信号ＤＣdを記憶して、この記憶した設定情報に基づいて映像表示装置２０の動作設定や、記憶したデータ信号ＤＣdに基づいてテレテキスト情報や番組表およびデータ放送コンテンツ等の情報を表示させる。
【００２１】
さらに、制御部４０は、情報の映像を表示しているとき、例えばテレテキスト情報や番組表およびデータ放送コンテンツ等の情報を表示しているとき、表示部２５に表示されている映像に対して拡大表示する拡大領域を操作信号ＰＳに基づき設定して、この拡大領域に含まれる文字や図形についてコードの判別を行う。また、制御部４０は、判別したコードに対応しているとともに、表示サイズの拡大されたフォントデータに基づいたオンスクリーン表示信号Ｄosを、オンスクリーン表示信号生成部２４１で生成させる。さらに、生成されたオンスクリーン表示信号Ｄosを用いて映像信号ＲＶを生成するように合成部２４２を制御して、拡大領域に含まれる文字や図形を拡大した映像信号ＲＶを表示部２５に供給して拡大表示を行わせる。
【００２２】
次に、図３に示すフローチャートを用いて、映像表示装置における拡大表示動作を説明する。制御部４０は、例えばＭＥＮＵボタン５１６が操作されて情報の拡大表示動作を行う機能が選択されたとき、ステップＳＴ１でカーソル表示を行う。このカーソル表示は拡大領域の位置を示すものであり、制御部４０は、映像信号供給部２４の動作を制御して、表示部２５の画面上にカーソルＣＰを表示させる。すなわち、制御部４０は、オンスクリーン制御信号ＤＳによってオンスクリーン表示信号生成部２４１の動作を制御して、情報の表示にカーソルＣＰを重畳させたオンスクリーン表示信号Ｄosを生成させる。また、制御部４０は、合成部２４２の動作を制御して、オンスクリーン表示信号Ｄosを用いた映像信号ＲＶを生成して表示部２５に供給させる。図４は、表示部２５の表示画面を例示したものであり、テレテキスト情報を全画面表示した場合を示している。テレテキスト情報を全画面表示する場合、制御部４０は、テレテキスト情報の表示にカーソルＣＰの表示が重畳されているオンスクリーン表示信号Ｄosをオンスクリーン表示信号生成部２４１で生成させる。また、制御部４０は、オンスクリーン表示信号Ｄosのみを用いて映像信号ＲＶを生成するように合成部２４２の動作を制御する。このように合成部２４２の動作を制御することで、図４Ａに示すように、全画面表示されたテレテキスト情報にカーソルＣＰを重畳して表示させることができる。
【００２３】
ステップＳＴ２で制御部４０は、カーソル移動操作が行われたか否かを判別する。ここで、ユーザインタフェース部４１あるいはリモートコントロール装置５０には、表示部２５の画面上に表示されているカーソルＣＰを上下左右方向に移動させる機能を割り当てた操作キーを設けておく。例えば、カーソルＣＰを上下左右方向に移動させる機能を、リモートコントロール装置５０の上下左右ボタン５１７に割り当てるものとして、制御部４０は上下左右ボタン５１７のいずれかが操作されたことを操作信号ＰＳに基づいて判別したときにはステップＳＴ３に進む。また、上下左右ボタン５１７のいずれも操作されていないことを判別したときにはステップＳＴ４に進む。
【００２４】
ステップＳＴ３で制御部４０は、カーソル移動処理を行う。制御部４０は、操作信号ＰＳに基づき、上下左右ボタン５１７のいずれが操作されたかを判別して、操作されたボタンの方向にカーソルＣＰの表示位置を移動させてステップＳＴ２に戻る。カーソルＣＰの移動量は、予め設定された固定の画素数分としてもよく、テレテキスト（Teletext）のように、１画面の行数と文字数が決められているときには、行単位や文字単位でカーソルＣＰを移動させるものとしてもよい。さらに、上下左右ボタン５１７のいずれかが押され続けていることを判別したときには、移動量を順次大きくすれば、所望の位置にカーソルＣＰを速やかに移動させることができる。
【００２５】
ステップＳＴ４で制御部４０は、カーソルＣＰで囲まれた拡大領域の拡大表示を行う拡大表示実行操作が行われたか否かを判別する。ここで、ユーザインタフェース部４１あるいはリモートコントロール装置５０には、拡大領域の拡大表示を行う機能を割り当てた操作キーを設けておく。例えば、情報表示の拡大動作を行う機能が選択されたときには、拡大領域の拡大表示を行う機能を、リモートコントロール装置５０のＯＫボタン５１８に割り当てるものとして、制御部４０は、ＯＫボタン５１８が操作されたことを操作信号ＰＳに基づいて判別したときにはステップＳＴ５に進み、ＯＫボタン５１８が操作されていないときにはステップＳＴ２に戻る。
【００２６】
ステップＳＴ５で制御部４０は、拡大領域の設定を行い、ＯＫボタン５１８が操作されたときにカーソルＣＰで囲まれている領域を拡大領域に設定してステップＳＴ６に進む。
【００２７】
ステップＳＴ６で制御部４０は、画面上における文字や図形の表示位置判別を行いステップＳＴ７に進む。例えば、上述のテレテキストのように１画面の行数と文字数が決められているときには、表示されている文字や図形の画面上の表示位置を容易に判別できる。また、ＪＡＶＡ（登録商標）ベースのアプリケーション実行環境や、ＸＭＬ(Extensible Markup Language)ベースの構造化言語を用いて情報の表示を行う場合、文字や図形を表示する表示領域の位置やフォントサイズ等の設定情報（例えばタグ情報など）に基づいて、表示されている文字や図形の画面上の表示位置を判別する。
【００２８】
ステップＳＴ７で制御部４０は、拡大表示する文字や図形についてコードの判別を行いステップＳＴ８に進む。すなわち、制御部４０は、ステップＳＴ５で設定した拡大領域内を表示位置としている文字や図形を、拡大表示する文字や図形として、この拡大表示する文字や図形についてコードの判別を行う。例えば、１画面の行数と文字数が決められているときには、行単位や文字単位で拡大領域の設定や移動を行い、ＯＫボタン５１８が操作されたときの拡大領域内を表示位置としている文字や図形を、拡大表示する文字や図形とする。また、画素単位で拡大領域の設定や移動を行う場合には、ＯＫボタン５１８が操作されたときの拡大領域内に表示が含まれる文字や図形、あるいは拡大領域内に全ての表示が含まれる文字や図形を拡大表示する文字や図形とする。また、拡大表示する文字や図形についてコードの判別は、テレテキスト情報等のデータ信号ＤＣdから、拡大表示する文字や図形のコードを抽出することで行う。
【００２９】
ステップＳＴ８で制御部４０は、ステップＳＴ６で判別した拡大表示する文字や図形の表示サイズ設定処理を行い、ステップＳＴ９に進む。すなわち、制御部４０は、カーソルＣＰで囲まれている拡大領域を拡大して表示するとき、拡大領域のサイズと拡大表示の画面サイズに応じて、文字や図形の表示サイズを設定する。例えば、拡大領域の水平方向と垂直方向のサイズが全画面領域の１／２倍であるとき、この拡大領域を全画面サイズで表示するものとした場合には水平方向と垂直方向の拡大率は２倍となる。したがって、文字や図形の表示サイズは、水平方向および垂直方向に２倍とする。
【００３０】
ステップＳＴ９で制御部４０は表示処理を行う。例えば、映像信号供給部２４のオンスクリーン表示信号生成部２４１には、表示可能な文字や図形について表示サイズの異なるフォントデータを予め記憶しておき、制御部４０は、ステップＳＴ８で設定された表示サイズに対応する表示サイズのフォントデータから、拡大表示する文字や図形のフォントデータを順次用いてオンスクリーン表示信号Ｄosを生成させる。また、文字や図形に対して背景が設定されているときは、背景も文字や図形に対応させて拡大する。なお、文字コード規格が異なる情報を拡大するときには、各文字コード規格に対応したフォントデータを用いるものとする。
【００３１】
このようにすれば、画像の補間処理等のような信号処理を行うことなく文字や図形を拡大表示できる。また、例えば表示されている文字が小さく判別が容易でない場合であっても、拡大表示した文字では、画素補間によって画素数を増やした場合のようなぼけ等を生ずることがなく良好は品位を保つことができるので、文字の判別を容易に行うことができる。すなわち、表示されている情報を正しく容易に読み取ることが可能となる。さらに、表示サイズの大きなフォントデータを予め記憶しておくことで、文字や図形の拡大表示を簡単かつ容易に行うことができる。さらに、拡大領域のサイズに応じて表示サイズを設定することで、拡大領域内で示されていた情報を正しく拡大表示することができる。例えば、拡大表示するときの表示サイズが大きすぎて、拡大領域内の情報が表示画面からはみ出してしまうような不具合を防止できる。
【００３２】
また、映像信号供給部２４のオンスクリーン表示信号生成部２４１では、拡大表示する文字や図形の表示サイズに対応したフォントデータの生成を行い、このフォントデータに基づいてオンスクリーン表示信号Ｄosを生成するものとしてもよい。
【００３３】
拡大表示する文字や図形の表示サイズに対応したフォントデータの生成では、フォントデータを生成するデータ生成情報を、文字や図形のコード毎に予め用意しておき、拡大表示する文字や図形のコードに対応したデータ生成情報を用いてフォントデータを生成する。例えば特開２００５−５５９１９号公報で示されている文字情報をデータ生成情報として用いればよい。この場合、文字毎の文字情報をオンスクリーン表示信号生成部２４１に予め記憶させておく。文字情報は、特開２００５−５５９１９号公報に示されているように、文字パターンを構成する各ストロークの骨格座標データからなるストローク配置情報、他の文字と共通化可能な１つ以上のストローク配置情報を組み合わせた共通ストローク構成情報、共通ストローク配置情報、文字生成サイズ毎に共通ストローク構成情報を変更するデータ等を含むものとして、文字コード毎に設ける。
【００３４】
オンスクリーン表示信号生成部２４１では、拡大する表示する文字に対応した文字情報を用いるものとして、文字情報の共通ストローク構成情報をサイズ変換して、該当する共通ストローク配置情報で示される座標に展開する。このサイズ変換では、共通ストローク配置情報で示された座標や、共通ストローク構成情報を文字生成サイズに変更するデータを用いる。また、文字情報における他の共通ストローク構成情報番号が示す共通ストローク構成情報についても同様な処理を行い、共通ストローク配置情報で示される座標に展開する。その後、展開された共通ストローク構成情報に対応したフォントデータを生成する。
【００３５】
このようにしてフォントデータを生成すれば、表示サイズの異なるフォントデータを予め生成して記憶させておく必要がない。このため、例えば表示部の解像度が異なる場合であっても、表示サイズの異なるフォントデータを表示部の解像度に応じて個々に生成する必要がなくなり、表示部の解像度が異なる映像表示装置を開発する際に、開発期間の短縮化をはかることができる。
【図面の簡単な説明】
【００３６】
【図１】映像表示装置の構成を示す図である。
【図２】リモートコントロール装置の外観を示す図である。
【図３】拡大表示動作を示すフローチャートである。
【図４】表示画面を示す図である。
【符号の説明】
【００３７】
２０・・・映像表示装置、２１・・・チューナ部、２２・・・デマルチプレクサ、２３・・・ビデオデコーダ、２４・・・映像信号供給部、２５・・・表示部、２６・・・オーディオデコーダ、２７・・・音声出力処理部、２８・・・スピーカ、３０・・・通信インタフェース部、４０・・・制御部、４１・・・ユーザインタフェース部、４５・・・バス、５０・・・リモートコントロール装置、２４１・・・オンスクリーン表示信号生成部、２４２・・・合成部
【図１】
2007312237.tif 000003
【図２】
2007312237.tif 000004
【図３】
2007312237.tif 000005
【図４】
2007312237.tif 000006